(57)【要約】【課題】  基板と偏光板との間に導電膜を形成して、基板と偏光板との間の静電気の発生を防止することによって、画面の品質を向上させうる平板表示装置を提供する。【解決手段】  画像表示部２０１を備える基板２２１、基板２２１の画像表示部２０１上に配列された表示素子２２３、及び表示素子２２３を封止するための封止手段２２５を備える平板表示パネル２２０と、前記基板２２１及び封止手段２２５のうち、少なくとも１方に配置される偏光部材２３０と、前記基板２２１の画像表示部２０１に対応していない部分に静電気防止用の遮蔽部材２３５と、を備える平板表示装置２００である。【選択図】図２
2006146174.tif 000002
【特許請求の範囲】
【請求項１】
画像表示部を備える基板、前記基板の画像表示部上に配列された表示素子、及び前記表示素子を封止するための封止手段を備える平板表示パネルと、
前記基板及び封止手段のうち、少なくとも１方に配置される偏光部材と、
前記基板の画像表示部に対応しない部分に配置される静電気防止用の遮蔽部材と、を備えることを特徴とする平板表示装置。
【請求項２】
前記遮蔽部材は、前記偏光部材のうち、前記画像表示部に対応していない外郭部に配置された遮蔽膜を備えることを特徴とする請求項１に記載の平板表示装置。
【請求項３】
前記遮蔽部材は、前記基板と封止手段のうち、前記偏光部材が配置される１方に配置され、前記画像表示部に対応していない外郭部に配置される遮蔽膜を含むことを特徴とする請求項１に記載の平板表示装置。
【請求項４】
前記遮蔽部材は、導電性金属膜及び導電性非金属膜から選択される導電膜を含むことを特徴とする請求項１に記載の平板表示装置。
【請求項５】
前記遮蔽部材は、透明な導電膜及び不透明導電膜から選択される導電膜を含むことを特徴とする請求項１に記載の平板表示装置。
【請求項６】
前記表示パネルは、ＥＬ表示パネルを含むことを特徴とする請求項１に記載の平板表示装置。
【請求項７】
前記遮蔽部材は、閉ループ状に形成されることを特徴とする請求項１に記載の平板表示装置。
【請求項８】
画像表示部を備える基板、前記基板の画像表示部上に配列された表示素子、及び前記表示素子を封止するための封止手段を備える平板表示パネルと、
前記基板及び封止手段のうち、少なくとも１方に配置される偏光部材と、
前記基板の画像表示部に対応する部分に静電気防止用の遮蔽部材と、を備えることを特徴とする平板表示装置。
【請求項９】
前記遮蔽部材は、前記偏光部材のうち、前記画像表示部に対応する部分に配置された遮蔽膜を含むことを特徴とする請求項８に記載の平板表示装置。
【請求項１０】
前記遮蔽部材は、前記基板と封止手段のうち、前記偏光部材が配置される１方に配置され、前記画像表示部に対応する部分に配置される遮蔽膜を含むことを特徴とする請求項８に記載の平板表示装置。
【請求項１１】
前記遮蔽部材は、導電性金属膜及び導電性非金属膜から選択される導電膜を含むことを特徴とする請求項８に記載の平板表示装置。
【請求項１２】
前記遮蔽部材は、透明な導電膜を含むことを特徴とする請求項８に記載の平板表示装置。
【請求項１３】
前記表示パネルは、ＥＬ表示パネルを含むことを特徴とする請求項８に記載の平板表示装置。
【請求項１４】
前記遮蔽部材は、メッシュ状に形成されることを特徴とする請求項８に記載の平板表示装置。
【発明の詳細な説明】
【技術分野】
【０００１】
本発明は、平板表示装置に係り、より詳細には、偏光板と基板との間に静電気の発生を防止するための静電気防止手段を備えた有機電界発光表示装置に関する。
【背景技術】
【０００２】
通常、アクティブマトリックス有機電界発光表示装置（ＡＭＯＬＥＤ）は、基板上に多数の画素が配列され、各画素は少なくとも１つのスイッチング薄膜トランジスタと、１つの駆動薄膜トランジスタと、キャパシタと、有機電界発光素子とを備える。有機電界発光素子は、前記薄膜トランジスタにより駆動され、アノード電極、発光層を備える有機膜層及びカソード電極を備え、前記アノード電極とカソード電極との間に印加される電圧によって有機膜層の発光層から光が発光される自発光素子である。
【０００３】
有機電界発光表示装置を構成する薄膜トランジスタとキャパシタは、金属物質よりなる電極及び配線を備えるため、外部から入射される外光が前記金属電極及び配線により反射されてコントラストが大きく低下する。
【０００４】
有機電界発光表示装置のような平板表示装置は、外光の強度によってコントラストが大きく減少する。したがって、通常、有機電界発光表示装置は、外光によるコントラストの低下を防止するために、偏光板を基板に付着形成する。
【０００５】
図１は、従来の有機電界発光表示装置の分離斜視図を示したものである。
【０００６】
図１を参照すれば、従来の有機電界発光表示装置は、有機電界発光表示パネル（有機ＥＬパネル）１２０、偏光板１３０及び前記有機ＥＬパネル１２０を支持するためのブラケット１１０を備える。前記有機ＥＬパネル１２０は、上部基板１２５と下部基板１２１とを備え、上部基板１２５と下部基板１２１の間に有機電界発光素子（有機ＥＬ素子）（図示せず）を備える。また、部材番号１２９は、駆動ＩＣである。
【０００７】
前述したような構造を有する有機電界発光表示装置は、偏光板と基板との間に静電気が誘導され、偏光板と基板との間に誘導された静電気は有機電界発光素子の誤動作を招いたり、またはキャパシタの静電容量に影響を与えて画質低下を招いたりする問題点がある。
【０００８】
また、偏光板と基板との間に誘導された静電気によって画像表示領域が破壊され、これによって所望の画像を表示できないという問題点がある。
【発明の開示】
【発明が解決しようとする課題】
【０００９】
本発明は、前記問題点を解決するために案出されたものであって、基板と偏光板との間に導電膜を形成して静電気の誘導を防止しうる有機電界発光表示装置を提供するところにその目的がある。
【課題を解決するための手段】
【００１０】
前記目的を達成するために本発明は、画像表示部を備える基板、前記基板の画像表示部上に配列された表示素子、及び前記表示素子を封止するための封止手段を備える平板表示パネルと、前記基板及び封止手段のうち、少なくとも１方に配置される偏光部材と、前記基板の画像表示部に対応していない部分に静電気防止用の遮蔽部材と、を備える平板表示装置を提供することを特徴とする。
【００１１】
前記遮蔽部材は、前記偏光部材のうち、前記画像表示部に対応していない外郭部に配置された遮蔽膜を含む。また、前記遮蔽部材は、前記基板と封止手段のうち、前記偏光部材が配置される１方に配置され、前記画像表示部に対応していない外郭部に配置される遮蔽膜を含む。前記遮蔽部材は、閉ループ状に形成される。
【００１２】
前記遮蔽部材は、導電性金属膜及び導電性非金属膜から選択される導電膜を含む。前記遮蔽部材は、透明な導電膜及び不透明導電膜から選択される導電膜を含む。
【００１３】
前記表示パネルはＥＬ表示パネルを含む。
【００１４】
また、本発明は、画像表示部を備える基板、前記基板の画像表示部上に配列された表示素子、及び前記表示素子を封止するための封止手段を備える平板表示パネルと、前記基板及び封止手段のうち、少なくとも１方に配置される偏光部材と、前記基板の画像表示部に対応する部分に静電気防止用の遮蔽部材を備える平板表示装置と、を提供することを特徴とする。
【００１５】
前記遮蔽部材は、前記偏光部材のうち、前記画像表示部に対応する部分に配置された遮蔽膜を含む。また、前記遮蔽部材は、前記基板と封止手段のうち、前記偏光部材が配置される１方に配置され、前記画像表示部に対応する部分に配置される遮蔽膜を含む。前記遮蔽部材は、メッシュ状に形成される。
【００１６】
前記遮蔽部材は、導電性金属膜及び導電性非金属膜から選択される導電膜を含む。前記遮蔽部材は、透明な導電膜を含む。
【００１７】
前記表示パネルは、ＥＬ表示パネルを含む。
【発明の効果】
【００１８】
本発明の実施形態による有機電界発光表示装置は、基板と偏光部材との間に導電膜を形成することにより、前記基板と偏光部材との間に静電気を防止して、画面表示品質を向上させうる。
【発明を実施するための最良の形態】
【００１９】
以下、本発明の実施形態を添付した図面を参照して説明すれば次の通りである。
【００２０】
図２は、本発明の実施形態による有機電界発光表示装置を示す分離斜視図である。
【００２１】
図２を参照すれば、本発明の実施形態に係る平板表示装置である有機電界発光表示装置２００は、平板表示パネルとしての有機電界発光表示パネル（有機ＥＬパネル）２２０と、前記有機ＥＬパネル２２０を支持するためのブラケット２１０と、前記有機ＥＬパネル２２０に入射される外部光を遮断するための偏光部材２３０とを備える。
【００２２】
前記ブラケット２１０は、前記ＥＬ表示パネル２２０を支持するためのものであって、有機ＥＬパネル２２０に対応する大きさを有する板体よりなり、一側隔壁が開いた構造を有する。本発明の実施形態では、前記ブラケット２１０が図２に示されたような構造を有することを例示しているが、これに必ずしも限定されるものではなく、前記有機ＥＬパネル２２０を支持するための多様な構造が何れも適用可能である。
【００２３】
前記偏光部材２３０は、外部から入射される外光が前記有機ＥＬパネル２２０の封止手段２２５に入射されることを防止するためのものであって、偏光板を使用するか、または封止手段２２５に偏光物質膜をコーティングすることができる。参照番号２２９は駆動ＩＣを表す。
【００２４】
図３は、本発明の他の実施形態による有機電界発光表示装置における有機ＥＬパネル２２０を示す断面図であって、１つの単位画素に対する断面図を示す。
【００２５】
図３を参照すれば、前記ＥＬ表示パネル２２０は、下部基板２２１と、前記下部基板２２１を封止するための封止手段、例えば、上部基板２２５を備える。前記下部基板２２１は、所望の画像を表示するための画像表示部２０１を備える。
【００２６】
前記画像表示部２０１は、有機電界発光素子（表示素子）から光を発光させて画像を表示するためのものであって、前記下部基板２２１の画像表示部２０１上には、図示されていないが、複数の画素２２４がマトリックス状に配列され、各画素２２４は、有機電界発光素子２２３と、前記有機電界発光素子２２３を駆動するための駆動素子としての薄膜トランジスタ２２２とを備える。
【００２７】
前記下部基板２２１の画像表示部２０１は、シーラント２２７を用いて封止手段２２５によって封止され、外部から前記画像表示部２０１を保護するようになる。本発明の有機電界発光表示装置は、前記有機電界発光素子２２３から発光される光が前記封止手段２２５側に放出される前面発光構造を有するため、前記封止手段２２５の外側面に外光遮断用の偏光部材２３０が配置される。
【００２８】
本発明の実施形態による有機電界発光表示装置において、前記有機ＥＬパネル２２０は、図３に示された構造に限定されず、前記有機電界発光素子及び前記有機電界発光素子を駆動するために薄膜トランジスタは多様な構造を有する。
【００２９】
また、本発明の実施形態では、前記偏光部材２３０が前記有機ＥＬパネル２２０の封止手段２２５の外側面に付着されることを例示しているが、必ずしもこれに限定されるものではなく、偏光部材２３０の種類によって前記封止手段２２５の内側面にも配置可能である。
【００３０】
本発明の実施形態による有機電界発光表示装置２００は、前記有機ＥＬパネル２２０の封止手段２２５と偏光部材２３０との間に、静電気を防止するための遮蔽部材２３５をさらに備える。前記遮蔽部材２３５は、図５に示されたように、前記偏光部材２３０のうち、有機ＥＬパネル２００の画像表示部２０１に対応する部分２３１を除いた外郭部２３２に対応して配置され、閉ループ状に形成されることが望ましい。
【００３１】
前記静電気形成を防止するための遮蔽部材２３５は、導電性金属膜または導電性非金属膜など多様な導電物質を含み、また不透明導電膜または透明導電膜など多様な導電物質を含む。
【００３２】
また、前記遮蔽部材２３５は、導電板、導電性フィルムまたは導電薄膜など多様な形態を有することができる。前記遮蔽部材２３５は、前記偏光部材２３０とは分離されて、前記偏光部材２３０と封止手段２２５との間に配置されるか、前記偏光部材２３０に付着させて形成するか、または偏光部材２３０にパターニングまたはコーティングなどの多様な方法で形成可能である。
【００３３】
本発明の実施形態では、前記遮蔽部材２３５が図５に示されたようにフレーム状を有して例示しているが、必ずしもこれに限定されるものではなく、静電気を防止するための多様な形態を有する遮蔽部材２３５を、前記偏光部材２３０の外郭部２３２に配置することが可能である。また、遮蔽部材２３５は、偏光部材２３０ではない有機ＥＬパネル２２０の封止手段２２５の外郭部に配置することも可能である。図２において、参照番号２２９は駆動ＩＣを示す。
【００３４】
図４は、本発明の他の実施形態による有機電界発光表示装置３００を示す分離斜視図である。
【００３５】
図４を参照すれば、本発明の他の実施形態に係る平板表示装置である有機電界発光表示装置３００も、一実施形態と同様に平板表示パネルとしての有機ＥＬパネル３２０と、前記有機ＥＬパネル３２０を支持するためのブラケット３１０と、前記有機ＥＬパネル３２０に入射される外光を遮断するための偏光部材３３０とを備える。
【００３６】
前記ブラケット３１０は、一実施形態と同様に前記ＥＬ表示パネル３２０を支持するためのものであって、有機ＥＬパネル３２０に対応する大きさを有する板体よりなり、一側隔壁が開いた構造を有する。
【００３７】
また、前記偏光部材３３０も一実施形態と同様に、外部から入射される外光が前記有機ＥＬパネル３２０の封止手段３２５に入射されることを防止するためのものであって、偏光板を使用するか、または封止手段３２５に偏光物質膜をコーティングすることができる。
【００３８】
前記有機ＥＬパネル３２０は、一実施形態と同様に、図３に示されたような断面構造を有する。すなわち、前記有機ＥＬパネル３２０は、画像表示部２０１を備える下部基板３２１と、前記下部基板３２１をシーラント２２７により封止するための封止手段、例えば、上部基板３２５とを備える。
【００３９】
前記画像表示部２０１は、有機電界発光素子から光が発光されて画像を表示するためのものであって、図３に示されたように、多数の画素２２４がマトリックス状に配列され、各画素２２４は、有機電界発光素子２２３と、前記有機電界発光素子２２３を駆動するための駆動素子としての薄膜トランジスタ２２２とを備える。図４において、参照番号３２９は駆動ＩＣを表す。
【００４０】
本発明の他の実施形態による有機電界発光表示装置も、前記有機電界発光素子２２３から発光される光が前記封止手段３２５側に放出される前面発光構造を有するため、前記封止手段３２５の外側面に外部光遮断用の偏光部材３３０が配置される。
【００４１】
また、本発明の他の実施形態による有機電界発光表示装置３００は、前記有機ＥＬパネル３２０の封止手段３２５と偏光部材３３０との間に、静電気を防止するための遮蔽部材３３５をさらに備える。
【００４２】
前記遮蔽部材３３５は、図６に示されたように、偏光部材３３０のうち、有機ＥＬパネル３２０の前記画像表示部２０１に対応する部分３３１に配置される。前記遮蔽部材３３５はメッシュ状に形成されることが望ましい。
【００４３】
前記静電気を防止するための遮蔽部材３３５は、一実施形態とは違って偏光部材３３０の外郭部３３２に配置されず、画像表示部に対応する部分３３１に配置されるため、有機電界発光素子２２３から発光される光が透過するように透明導電物質を含むことが望ましい。
【００４４】
また、前記遮蔽部材３３５は、導電性金属膜または導電性非金属膜など多様な導電物質を含み、導電板、導電性フィルムまたは導電薄膜の形態など多様な形態を有することができる。
【００４５】
前記遮蔽部材３３５は、一実施形態と同様に前記偏光部材２３０とは分離されて前記偏光部材２３０と封止手段２２５との間に配置するか、前記偏光部材３３０に付着させて形成するか、または偏光部材３３０にパターニングまたはコーティングなどの多様な方法で形成可能である。
【００４６】
本発明の他の実施形態では、前記静電気を防止するための遮蔽部材３３５が、図６に示されたように、偏光部材３３０のうち画像表示部２０１に対応する部分３３１にメッシュ状に配置されることを例示しているが、必ずしもこれに限定されるものではなく、多様な形態を有する遮蔽部材３３５を前記偏光部材３３０の中央部分３３１に配置することが可能である。また、遮蔽部材３３５が、偏光部材３３０ではない有機ＥＬパネル３２０の封止手段３２５のうち、画像表示部２０１に対応する部分に配置することも可能である。
【００４７】
本発明の実施形態では、前記有機ＥＬパネルから発光された光が基板の反対方向、すなわち、封止手段側に放出される前面発光構造を有する有機電界発光表示装置として、前記封止手段に入射される外光を防止するために偏光部材が前記封止手段の外側面に付着され、前記有機ＥＬパネル３２０の封止手段と偏光板との間に、図５及び図６に示されたような静電気防止用の導電膜が遮蔽部材として配置されることを例示しているが、必ずしもこれに限定されるものではなく、背面発光構造を有する有機電界発光表示装置または両面発光構造を有する有機電界発光表示装置に適用可能である。
【００４８】
すなわち、前記有機ＥＬパネルから発光された光が基板方向に放出される背面発光構造を有する有機電界発光表示装置の場合には、前記基板に入射される外光を防止するための偏光部材が前記基板の外側面に付着され、前記基板と偏光部材との間に図５及び図６に示されたような静電気防止用の導電膜を配置することもできる。
【００４９】
一方、前記有機ＥＬパネルから発光された光が、基板方向と基板反対方向である封止手段の両面に放出される両面発光構造を有する有機電界発光表示装置の場合には、前記基板及び封止手段に入射される外光を防止するための上部偏光部材および下部偏光部材が各々前記基板及び封止手段の外側面に付着され、前記基板と下部偏光部材との間、そして封止手段と上部偏光部材との間に、図５及び図６に示されたような静電気防止用の導電膜を各々配置しても良い。
【００５０】
本発明の実施形態は、有機電界発光表示装置において、基板と偏光板との間に静電気を防止するための遮蔽部材が偏光板や基板に形成されることを例示しているが、必ずしもこれに限定されるものではなく、液晶表示装置のように偏光板を使用する平板表示装置には制限なく適用可能である。
【００５１】
本発明の実施形態では、画素を構成する有機発光表示素子が薄膜トランジスタにより駆動されるアクティブマトリックス型有機電界発光表示装置について例示しているが、受動マトリックス型有機電界発光表示装置にも適用可能である。
【００５２】
以上、本発明の望ましい実施形態を参照して説明したが、当業者ならば、特許請求の範囲に記載された本発明の思想及び領域から外れない範囲内で本発明を多様に修正及び変更可能であることを理解できるであろう。
【産業上の利用可能性】
【００５３】
有機電界発光表示装置だけでなく、液晶表示素子（ＬＣＤ）などの平板表示装置に好適に適用できて、基板と偏光部材との間の静電気を防止して画面表示品質を向上させうる。
【図面の簡単な説明】
【００５４】
【図１】従来の有機電界発光表示装置の分離斜視図である。
【図２】本発明の一実施形態による有機電界発光表示装置の分離斜視図である。
【図３】本発明の一実施形態による有機電界発光表示装置において、有機電界発光表示パネルの断面図である。
【図４】本発明の他の実施形態による有機電界発光表示装置の分離斜視図である。
【図５】本発明の一実施形態による有機電界発光表示装置における静電気防止用遮蔽部材の平面図である。
【図６】本発明の他の実施形態による有機電界発光表示装置における静電気防止用遮蔽部材の平面図である。
【符号の説明】
【００５５】
２００    有機電界発光表示装置（平板表示装置）、
２１０    ブラケット、
２２０    有機ＥＬパネル（平板表示パネル）、
２２１    下部基板（基板）、
２２５    上部基板（封止手段）、
２２９    駆動ＩＣ、
２３０    偏光部材、
２３５    遮蔽部材。
【図１】
2006146174.tif 000003
【図２】
2006146174.tif 000004
【図３】
2006146174.tif 000005
【図４】
2006146174.tif 000006
【図５】
2006146174.tif 000007
【図６】
2006146174.tif 000008